(57)【要約】【課題】移動体内において、ユーザの電子メールクライアントの設定を変更することなく効率よくかつ確実に電子メールを受信すること。【解決手段】移動体ネットワーク１２０に接続され、ユーザ端末１１０から送信される電子メールサーバ５０２の所在を表す所在情報を取得する第１ＤＮＳサーバ１２２と、複数の移動体ネットワーク１２０と無線接続され、電子メールサーバ５０２と公衆網を介して接続される固定通信網３００と、固定通信網３００に接続され、第１ＤＮＳサーバ１２２により取得された電子メールサーバ５０２の所在情報に基づいて、複数の移動体ネットワーク１２０に接続された移動体内サーバ１２４のうちから１の移動体内サーバ１２４を特定して、移動体内サーバ１２４を識別するサーバ識別情報を前記第１ＤＮＳサーバ１２２に送信する第２ＤＮＳサーバ３０２と；を備える。【選択図】図２
2009088810.tif 000002
【特許請求の範囲】
【請求項１】
移動体内に設けられた移動体ネットワークと無線接続可能なユーザ端末からの電子メール受信要求に応じて、前記移動体ネットワークに接続された移動体内サーバが、前記移動体の外部に設けられた電子メールサーバに蓄積された電子メールを受信して、前記ユーザ端末に代行配信する情報通信システムにおいて、
前記移動体ネットワークに接続され、前記ユーザ端末から送信される電子メールサーバの所在を表す所在情報を取得する第１ＤＮＳサーバと；
複数の前記移動体ネットワークと無線接続され、前記電子メールサーバと公衆網を介して接続される固定ネットワークと；
前記固定ネットワークに接続され、前記第１ＤＮＳサーバにより取得された前記電子メールサーバの所在情報に基づいて、前記移動体ネットワークに接続された複数の移動体内サーバのうちから１の前記移動体内サーバを特定して、前記移動体内サーバを識別するサーバ識別情報を前記第１ＤＮＳサーバに送信する第２ＤＮＳサーバと；
を備えることを特徴とする、情報通信システム。
【請求項２】
前記第２ＤＮＳサーバは、
前記電子メールサーバの所在情報一覧を記憶する所在情報一覧記憶部と；
前記第１ＤＮＳサーバを識別するサーバ識別情報と、前記移動体内サーバを識別するサーバ識別情報とを関連付けて記憶するサーバ識別情報記憶部と；を備え、
前記第１ＤＮＳサーバにより取得された前記電子メールサーバの所在情報が、前記所在情報一覧記憶部に記憶されていた場合に、前記第１ＤＮＳサーバのサーバ識別情報に関連付けられた前記移動体内サーバのサーバ識別情報を前記第１ＤＮＳサーバに送信し、
前記第１ＤＮＳサーバは、前記ユーザ端末に前記移動体内サーバのサーバ識別情報を送信することを特徴とする、請求項１に記載の情報通信システム。
【請求項３】
前記第１ＤＮＳサーバは、前記ユーザ端末からの電子メール受信要求に応じて、前記電子メールサーバの識別情報取得要求パケットを前記第２ＤＮＳサーバに送信し、
前記第２ＤＮＳサーバは、前記識別情報取得要求パケットに含まれる前記第１ＤＮＳサーバのサーバ識別情報を抽出することを特徴とする、請求項２に記載の情報通信システム。
【請求項４】
前記ユーザ端末は、前記第１ＤＮＳサーバにより送信された前記移動体内サーバのサーバ識別情報により識別される前記移動体内サーバに、電子メールの受信要求をすることを特徴とする、請求項１に記載の情報通信システム。
【請求項５】
前記固定ネットワークに接続され、前記電子メールサーバに蓄積された電子メールを取得して前記移動体内サーバに送信する管理サーバを備え、
前記第１ＤＮＳサーバは、前記ユーザ端末の電子メール受信要求に応じて、前記ユーザ端末を識別する端末識別情報と、前記電子メールサーバの所在情報とを取得して前記管理サーバに送信し、
前記管理サーバは、前記ユーザ端末の端末識別情報と、前記電子メールサーバの所在情報とを関連付けて記憶することを特徴とする、請求項１に記載の情報通信システム。
【請求項６】
前記移動体内サーバは、前記ユーザ端末からの電子メール受信要求に応じて、前記ユーザ端末の端末識別情報を取得して前記管理サーバに送信し、
前記管理サーバは、前記端末識別情報に関連付けられた前記電子メールサーバの所在情報を特定し、前記特定された電子メールサーバから電子メールを受信して前記移動体内サーバに電子メールを送信することを特徴とする、請求項５に記載の情報通信システム。
【請求項７】
移動体内に設けられた移動体ネットワークと無線接続可能なユーザ端末からの電子メール受信要求に応じて、前記移動体ネットワークに接続された移動体内サーバが、前記移動体の外部に設けられた電子メールサーバに蓄積された電子メールを受信して、前記ユーザ端末に代行配信する情報通信方法において、
前記移動体ネットワークに接続された第１ＤＮＳサーバが、前記ユーザ端末から送信される電子メールサーバの所在を表す所在情報を取得するステップと；
複数の前記移動体ネットワークと無線接続され、前記電子メールサーバと公衆網を介して接続される固定ネットワークに接続された第２ＤＮＳサーバが、前記第１ＤＮＳサーバにより取得された前記電子メールサーバの所在情報に基づいて、前記移動体ネットワークに接続された複数の移動体内サーバのうちから１の前記移動体内サーバを特定するステップと；
前記第２ＤＮＳサーバが、前記移動体内サーバを識別するサーバ識別情報を前記第１ＤＮＳサーバに送信するステップと；
を含むことを特徴とする、情報通信方法。
【請求項８】
前記第２ＤＮＳサーバが、前記第１ＤＮＳサーバにより取得された前記電子メールサーバの所在情報が、前記電子メールサーバの所在情報一覧が記憶された所在情報一覧記憶部に記憶されていた場合に、前記第１ＤＮＳサーバのサーバ識別情報に関連付けられた前記移動体内サーバのサーバ識別情報を前記第１ＤＮＳサーバに送信するステップと；
前記第１ＤＮＳサーバが、前記ユーザ端末に前記移動体内サーバのサーバ識別情報を送信するステップと；を含むことを特徴とする、請求項７に記載の情報通信方法。
【請求項９】
前記第１ＤＮＳサーバが、前記ユーザ端末からの電子メール受信要求に応じて、前記電子メールサーバの識別情報取得要求パケットを前記第２ＤＮＳサーバに送信するステップと；
前記第２ＤＮＳサーバが、前記識別情報取得要求パケットに含まれる前記第１ＤＮＳサーバのサーバ識別情報を抽出するステップと；を含むことを特徴とする、請求項８に記載の情報通信方法。
【請求項１０】
前記ユーザ端末が、前記第１ＤＮＳサーバにより送信された前記移動体内サーバのサーバ識別情報により識別される前記移動体内サーバに、電子メールの受信要求をするステップを含むことを特徴とする、請求項７に記載の情報通信方法。
【請求項１１】
前記固定ネットワークに接続された管理サーバが、前記電子メールサーバに蓄積された電子メールを取得して前記移動体内サーバに送信するステップと；
前記第１ＤＮＳサーバが、前記ユーザ端末の電子メール受信要求に応じて、前記ユーザ端末を識別する端末識別情報と、前記電子メールサーバの所在情報とを取得して前記管理サーバに送信するステップと、
前記管理サーバが、前記ユーザ端末の端末識別情報と、前記電子メールサーバの所在情報とを関連付けて記憶するステップと；を含むことを特徴とする、請求項７に記載の情報通信方法。
【請求項１２】
前記移動体内サーバが、前記ユーザ端末からの電子メール受信要求に応じて、前記ユーザ端末の端末識別情報を取得して前記管理サーバに送信するステップと；
前記管理サーバが、前記端末識別情報に関連付けられた前記電子メールサーバの所在情報を特定し、前記特定された電子メールサーバから電子メールを受信して前記移動体内サーバに前記電子メールを送信するステップと；を含むことを特徴とする、請求項１１に記載の情報通信方法。
【発明の詳細な説明】
【技術分野】
【０００１】
本発明は、情報通信システムおよび情報通信方法に関する。特に、高速に移動する移動体において電子メールの配信を行う情報通信システムおよび情報通信方法に関する。
【背景技術】
【０００２】
従来、旅客運搬システムにおける車両内において、旅客であるユーザが携帯電話やパーソナルコンピュータを利用して情報通信サービスを受けようとした場合、携帯電話に代表される移動体通信による通信網を使った無線通信が行われていた。
【０００３】
しかし、上記移動体通信による通信網を使った方法では、データの転送レートが遅く、例えば画像データファイルを含む大容量電子メールを送信しようとした場合、送信を完了するまでに相当の時間を要し、さらに、車両が高速に走行するため通信状況が不安定で、途中で送信が途切れるという問題があった。
【０００４】
そこで、駅舎等においてはスポット高速無線伝送を用い、その他の場所では常時低速無線伝送を行うことにより、高速に移動する移動体においても、効率よくかつ確実に大容量の情報を通信することが可能となる技術が知られている（例えば、特許文献１）。特許文献１では、移動体内で効率よくかつ確実に電子メールを受信するために、移動体の外部に蓄積された電子メールを移動体内の電子メールサーバに一時的に受信した後、各ユーザ端末に送信している。
【０００５】
【特許文献１】特開２００５−１３６８８５号公報
【発明の開示】
【発明が解決しようとする課題】
【０００６】
しかし、上記の場合、ユーザは、移動体内において電子メールを受信するために、自身の電子メールサーバとして移動体内の電子メールサーバを設定する必要があった。すなわち、ユーザは、電車等に乗降する都度、ユーザ端末等の電子メールクライアントの設定変更を行わなければならないという問題があった。
【０００７】
そこで、本発明は、上記問題に鑑みてなされたものであり、本発明の目的とするところは、移動体内において、ユーザの電子メールクライアントの設定を変更することなく効率よくかつ確実に電子メールを受信することが可能な、新規かつ改良された情報通信システムおよび情報通信方法を提供することにある。
【課題を解決するための手段】
【０００８】
上記課題を解決するために、本発明のある観点によれば、移動体内に設けられた移動体ネットワークと無線接続可能なユーザ端末からの電子メール受信要求に応じて、前記移動体ネットワークに接続された移動体内サーバが、前記移動体の外部に設けられた電子メールサーバに蓄積された電子メールを受信して、前記ユーザ端末に代行配信する情報通信システムが提供される。前記情報通信システムは、前記移動体ネットワークに接続され、前記ユーザ端末から送信される電子メールサーバの所在を表す所在情報を取得する第１ＤＮＳサーバと、複数の前記移動体ネットワークと無線接続され、前記電子メールサーバと公衆網を介して接続される固定ネットワークと、前記固定ネットワークに接続され、前記第１ＤＮＳサーバにより取得された前記電子メールサーバの所在情報に基づいて、前記移動体ネットワークに接続された複数の移動体内サーバのうちから１の前記移動体内サーバを特定して、前記移動体内サーバを識別するサーバ識別情報を前記第１ＤＮＳサーバに送信する第２ＤＮＳサーバと、を備える。
【０００９】
かかる構成においては、ユーザ端末から送信された電子メールサーバの所在情報が、第１ＤＮＳサーバから第２ＤＮＳサーバに送信され、第２ＤＮＳサーバは、電子メールサーバの所在情報に基づいて、移動体ネットワークに接続された移動体内サーバのサーバ識別情報を第１ＤＮＳサーバに送信する。サーバの所在情報とは、例えばサーバのホスト名やドメイン名などが挙げられる。また、サーバの識別情報とは、例えばＩＰアドレスなどが挙げられる。これにより、ユーザ端末が電子メールの受信要求をするサーバを、ユーザ端末から送信された電子メールサーバに代えて、移動体内サーバとすることができる。よって、ユーザがメールクライアントの設定変更をせずとも、移動体内サーバがユーザ端末の電子メールサーバに設定されるため、移動体内サーバに転送された電子メールをユーザ端末に送信することが可能となり、移動体内において、電子メールを効率よく確実に受信することが可能となる。
【００１０】
前記第２ＤＮＳサーバは、前記電子メールサーバの所在情報一覧を記憶する所在情報一覧記憶部と、前記第１ＤＮＳサーバを識別するサーバ識別情報と、前記移動体内サーバを識別するサーバ識別情報とを関連付けて記憶するサーバ識別情報記憶部と、を備え、  前記第１ＤＮＳサーバにより取得された前記電子メールサーバの所在情報が、前記所在情報一覧記憶部に記憶されていた場合に、前記第１ＤＮＳサーバのサーバ識別情報に関連付けられた前記移動体内サーバのサーバ識別情報を前記第１ＤＮＳサーバに送信し、前記第１ＤＮＳサーバは、前記ユーザ端末に前記移動体内サーバのサーバ識別情報を送信する。
【００１１】
かかる構成においては、第２ＤＮＳサーバが、ユーザ端末の電子メールサーバのサーバ識別情報に代えて、移動体内サーバのサーバ識別情報を第１ＤＮＳサーバに送信する。そして、第１ＤＮＳサーバは、移動体内サーバのサーバ識別情報をユーザ端末に送信する。これにより、ユーザ端末が電子メールの受信要求をするサーバを、ユーザ端末から送信された電子メールサーバに代えて、移動体内サーバとすることができる。
【００１２】
前記第１ＤＮＳサーバは、前記ユーザ端末からの電子メール受信要求に応じて、前記電子メールサーバの識別情報取得要求パケットを前記第２ＤＮＳサーバに送信し、前記第２ＤＮＳサーバは、前記識別情報取得要求パケットに含まれる前記第１ＤＮＳサーバのサーバ識別情報を抽出してもよい。かかる構成においては、第２ＤＮＳサーバは、ユーザ端末からの電子メール受信要求に応じて、第１ＤＮＳサーバのサーバ識別情報を取得する。これにより、第２ＤＮＳサーバは、取得したサーバ識別情報に関連付けられた移動体内サーバを特定することができる。識別情報取得要求パケットは、ヘッダ部とデータ部から構成され、ヘッダ部に、送信元である第１ＤＮＳサーバのサーバ識別情報を含むようにしてもよい。
【００１３】
前記ユーザ端末は、前記第１ＤＮＳサーバにより送信された前記移動体内サーバのサーバ識別情報により識別される前記移動体内サーバに、電子メールの受信要求をしてもよい。かかる構成においては、ユーザ端末が移動体内サーバに電子メールの受信要求をする。これにより、移動体内において、ユーザ端末のメールクライアントの設定変更をせずとも、効率よく確実に電子メールを受信することができる。
【００１４】
前記情報通信システムは、前記固定ネットワークに接続され、前記電子メールサーバに蓄積された電子メールを取得して前記移動体内サーバに送信する管理サーバをさらに備え、  前記第１ＤＮＳサーバは、前記ユーザ端末の電子メール受信要求に応じて、前記ユーザ端末を識別する端末識別情報と、前記電子メールサーバの所在情報とを取得して前記管理サーバに送信し、前記管理サーバは、前記ユーザ端末の端末識別情報と、前記電子メールサーバの所在情報とを関連付けて記憶してもよい。
【００１５】
前記移動体内サーバは、前記ユーザ端末からの電子メール受信要求に応じて、前記ユーザ端末の端末識別情報を取得して前記管理サーバに送信し、前記管理サーバは、前記端末識別情報に関連付けられた前記電子メールサーバの所在情報を特定し、前記特定された電子メールサーバから電子メールを受信して前記移動体内サーバに前記電子メールを送信してもよい。
【００１６】
かかる構成により、管理サーバは、ユーザ端末の端末識別情報をキーとして、ユーザ端末により送信された電子メールサーバの所在情報を記憶する。管理サーバは、ユーザ端末からの電子メール受信要求に応じて、電子メールサーバに蓄積された電子メールを代行して受信する。これにより、管理サーバが受信した電子メールを、移動体内サーバがユーザ端末に代行配信することが可能となる。
【００１７】
また、上記課題を解決するために、本発明の別の観点によれば、移動体内に設けられた移動体ネットワークと無線接続可能なユーザ端末からの電子メール受信要求に応じて、前記移動体ネットワークに接続された移動体内サーバが、前記移動体の外部に設けられた電子メールサーバに蓄積された電子メールを受信して、前記ユーザ端末に代行配信する情報通信方法が提供される。
当該情報通信方法は、前記移動体ネットワークに接続された第１ＤＮＳサーバが、前記ユーザ端末から送信される電子メールサーバの所在を表す所在情報を取得するステップと、複数の前記移動体ネットワークと無線接続され、前記電子メールサーバと公衆網を介して接続される固定ネットワークに接続された第２ＤＮＳサーバが、前記第１ＤＮＳサーバにより取得された前記電子メールサーバの所在情報に基づいて、前記移動体ネットワークに接続された複数の移動体内サーバのうちから１の前記移動体内サーバを特定するステップと、前記第２ＤＮＳサーバが、前記移動体内サーバを識別するサーバ識別情報を前記第１ＤＮＳサーバに送信するステップと、を含む。
【００１８】
また、上記情報通信方法は、前記第２ＤＮＳサーバが、前記第１ＤＮＳサーバにより取得された前記電子メールサーバの所在情報が、前記電子メールサーバの所在情報一覧が記憶された所在情報一覧記憶部に記憶されていた場合に、前記第１ＤＮＳサーバのサーバ識別情報に関連付けられた前記移動体内サーバのサーバ識別情報を前記第１ＤＮＳサーバに送信するステップと、前記第１ＤＮＳサーバが、前記ユーザ端末に前記移動体内サーバのサーバ識別情報を送信するステップと、を含む。
【００１９】
前記第１ＤＮＳサーバが、前記ユーザ端末からの電子メール受信要求に応じて、前記電子メールサーバの識別情報取得要求パケットを前記第２ＤＮＳサーバに送信するステップと；前記第２ＤＮＳサーバが、前記識別情報取得要求パケットに含まれる前記第１ＤＮＳサーバのサーバ識別情報を抽出するステップと；を含んでもよい。
【００２０】
前記ユーザ端末が、前記第１ＤＮＳサーバにより送信された、前記移動体内サーバのサーバ識別情報により識別される前記移動体内サーバに、電子メールの受信要求をするステップを含んでもよい。
【００２１】
前記固定ネットワークに接続された管理サーバが、前記電子メールサーバに蓄積された電子メールを取得して前記移動体内サーバに送信するステップと；前記第１ＤＮＳサーバが、前記ユーザ端末の電子メール受信要求に応じて、前記ユーザ端末を識別する端末識別情報と、前記電子メールサーバの所在情報とを取得して前記管理サーバに送信するステップと、前記管理サーバが、前記ユーザ端末の端末識別情報と、前記電子メールサーバの所在情報とを関連付けて記憶するステップと、を含んでもよい。
【００２２】
前記移動体内サーバが、前記ユーザ端末からの電子メール受信要求に応じて、前記ユーザ端末の端末識別情報を取得して前記管理サーバに送信するステップと、前記管理サーバが、前記端末識別情報に関連付けられた前記電子メールサーバの所在情報を特定し、前記特定された電子メールサーバから電子メールを受信して前記移動体内サーバに前記電子メールを送信するステップと、を含んでもよい。
【発明の効果】
【００２３】
以上説明したように本発明によれば、移動体内において、ユーザの電子メールクライアントの設定を変更することなく効率よくかつ確実に電子メールを受信することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
まず、図１に基づいて、本実施形態の概要を説明する。以下では、本発明を、主に移動体内において電子メールクライアントの設定を変更せずとも、効率よくかつ確実に電子メールを受信することが可能な、情報通信システム１０に適用して説明する。
【００２６】
本実施形態では、本発明における送受信データの一例として、電子メールを適用することができるが、かかる例に限定されず、双方向のデータ通信、例えばＷｅｂページの参照、電子ファイルの送受信を行うことができる。また、本発明における移動体の一例として、列車を適用することができるが、かかる例に限定されず、移動体は、自動車、バス、飛行機等でもよい。
【００２７】
図１は、本実施形態にかかる情報通信システムの概略を示すブロック図である。図１に示したように、本実施形態にかかる情報通信システムは、移動体１００ａと１００ｂ（以下移動体１００と称する）、移動体である列車等が停車する駅舎等に備わる駅ネットワーク２００ａと２００ｂと２００ｃと２００ｄと２００ｅ（以下駅ネットワーク２００と称する）と、駅ネットワーク２００と公衆通信網４００とを接続する固定通信網３００と、電子メールサーバ５０２などを備える。
【００２８】
列車１００ａ、１００ｂ内には、それぞれユーザ端末１１０ａ、１１０ｂ、移動体ネットワーク１２０ａ、１２０ｂなどを備える。以下、移動体１００ａ、１００ｂを移動体１００と称し、ユーザ端末１１０ａ、１１０ｂをユーザ端末１１０と称し、移動体ネットワーク１２０ａ、１２０ｂを移動体ネットワーク１２０と称す。図１においては、ユーザ端末１１０の一例として、ＰＣ（Ｐｅｒｓｏｎａｌ  Ｃｏｍｐｕｔｅｒ）を示しているが、ユーザ端末１１０はかかる例に限定されない。例えば、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等、電子メールを受信可能な情報処理装置であってもよい。
【００２９】
移動体１００は、あらかじめ運行経路が規定された鉄道の車両やバス等である。移動体１００と駅ネットワーク２００とは、電波による通信可能な所定範囲内で、所定の期間、所定の通信リンクを確立する。移動体１００において利用されるユーザ端末１１０は、移動体ネットワーク１２０と無線通信して、移動体１００の外部の電子メールサーバ５０２に蓄積された電子メールの受信を要求する。移動体１００に形成される移動体ネットワーク１２０は、駅ネットワーク２００と所定の範囲において無線通信を行い、ユーザ端末１１０の電子メール受信要求を送信したり、電子メールサーバ５０２に蓄積された電子メールを受信してユーザ端末１１０に送信したりする。
【００３０】
駅ネットワーク２００は、移動体１００と電波による通信可能な所定範囲内で、所定の期間、所定の通信リンクを確立する。駅ネットワーク２００と移動体１００との通信は、例えば、駅舎ではスポット高速無線伝送を用い、その他の場所では常時低速無線伝送を行うようにしてもよい。これにより、高速無線伝送を用いて通信を行う場合には、添付ファイル等の大容量の電子データを送受信し、低速無線伝送を用いて通信を行う場合には、テキストデータ等の小容量の電子データを送受信することにより、効率よく確実に電子メールを送受信することが可能となる。
【００３１】
固定通信網３００は、複数の駅ネットワーク２００と接続され、公衆回線網４００を介して外部に設けられた電子メールサーバ５０２に蓄積された電子メールを受信して駅ネットワーク２００に送信する。固定通信網３００は、サーバを介してインターネット等の公衆回線網４００に接続可能である。このサーバは、ＦＴＰ（Ｆｉｌｅ  Ｔｒａｎｓｆｅｒ  Ｐｒｏｔｏｃｏｌ）、ＨＴＴＰ（Ｈｙｐｅｒ  Ｔｅｘｔ  Ｔｒａｎｓｆｅｒ  Ｐｒｏｔｏｃｏｌ）、ＰＯＰ（Ｐｏｓｔ  Ｏｆｆｉｃｅ  Ｐｒｏｔｏｃｏｌ）などのアプリケーションプロトコルを実行することができる。
【００３２】
公衆回線網４００は、インターネット、電話回線網、衛星通信網等の公衆回線網や、ＷＡＮ、ＬＡＮ、ＩＰ−ＶＰＮ等の専用回線網などで構成されており、有線・無線を問わない。
【００３３】
電子メールサーバ５０２は、移動体の外部に設けられ、固定通信網３００と公衆回線網４００を介して接続されている。電子メールサーバ５０２は、ユーザ端末１１０の電子メール受信要求に応じて蓄積された電子メールを送信する。電子メールサーバ５０２により送信された電子メールは、公衆回線網４００を介して固定通信網３００に接続されたサーバに送信され、さらに駅ネットワーク２００を介して移動体ネットワーク１２０に接続されたサーバに送信される。
【００３４】
本実施形態においては、ユーザ端末１１０を利用するユーザは、ユーザが所属する企業内において使用するユーザＩＤおよびユーザパスワードを用いて電子メールの受信要求を行う。上記したように、ユーザが要求する電子メールは移動体ネットワーク１２０に接続されたサーバに送信される。
【００３５】
このように、電子メールを移動体１００内のサーバが受信してユーザ端末１１０に代行配信するため、移動体１００内においてユーザ端末１１０を利用して電子メールの受信要求をする場合には、電子メールクライアントにおいて設定する電子メールサーバを移動体内サーバに変更する必要がある。しかし、本実施形態においては、後述するように、ユーザ端末１１０の電子メールサーバとして移動体１００内のサーバを設定させることにより、ユーザ端末１１０を利用するユーザが電子メールクライアントの設定変更をせずとも、電子メールを受信することが可能となる。
【００３６】
次に、図２を用いて情報通信システム１０の詳細について説明する。ユーザ端末１１０は、ユーザによりユーザＩＤおよびユーザパスワードが入力されることにより、電子メール受信要求をする。ユーザ端末１１０は、電子メールサーバ５０２の所在名であるホスト名を第１ＤＮＳサーバ１２２に送信して、第１ＤＮＳサーバ１２２に電子メールサーバ５０２のサーバ識別情報であるＩＰアドレスを要求（ＤＮＳ要求）する。
【００３７】
第１ＤＮＳサーバ１２２は、移動体ネットワーク１２０に接続され、ユーザ端末１１０から送信される電子メールサーバ５０２のホスト名を第２ＤＮＳサーバ３０２に送信する。第１ＤＮＳサーバ１２２と、第２ＤＮＳサーバ３０２とは、駅ネットワーク２００を介して接続され、データの送受信をすることができる。
【００３８】
移動体内サーバ１２４は、移動体ネットワーク１２０に接続され、ユーザ端末１１０に要求された電子メールを受信して、ユーザ端末１１０に代行配信する。また、移動体内サーバ１２４は、後述する管理サーバ３０４に、電子メールの代行受信を依頼する機能を有する。
【００３９】
スプールサーバ２０２は、駅ネットワーク２００に接続され、管理サーバ３０４により受信された電子メールを一時的にスプールする。スプールサーバ２０２によりスプールされた電子メールは、駅舎ではスポット高速無線伝送を用い、その他の場所では常時低速無線伝送を用いて移動体ネットワーク１２０に接続された移動体内サーバ１２４に送信される。
【００４０】
第２ＤＮＳサーバは、固定通信網３００に接続され、第１ＤＮＳサーバ１２２から送信された電子メールサーバ５０２のホスト名に基づいて、移動体内サーバ１２４を特定し、移動体内サーバ１２４を識別する識別情報であるＩＰアドレスを第１ＤＮＳサーバ１２２に送信する。
【００４１】
第２ＤＮＳサーバ３０２は、電子メールサーバ５０２の所在情報であるホスト名を記憶する所在情報一覧記憶部３５０と、第１ＤＮＳサーバ１２２のサーバ識別情報であるＩＰアドレスと移動体内サーバ１２４のサーバ識別情報であるＩＰアドレスとを関連付けて記憶するサーバ識別情報記憶部３６０とを有している。
【００４２】
図３および図４に、所在情報一覧記憶部３５０とサーバ識別情報記憶部３６０の記憶内容の一例を図示した。図３に示したように、所在情報一覧記憶部３５０は、電子メール所在情報３５２と所在名３５４とが関連付けられて記憶されている。電子メール所在情報３５２は、「ｐｏｐ．ａｂｃ．ｃｏｍ」等の電子メールサーバ５０２のホスト名である。所在名３５４は、「ａｂｃ電気」等の電子メールサーバ５０２のホスト名に対応する企業名等である。
【００４３】
また、図４に示したように、サーバ識別情報記憶部３６０は、第１ＤＮＳサーバ１２２を識別する第１ＤＮＳサーバ識別情報３６２と、移動体内サーバ１２４を識別する移動体内サーバ識別情報３６４とが関連付けられて記憶されている。第１ＤＮＳサーバ識別情報３６２および移動体内サーバ識別情報は、「１９２．１２８．１２８．２５４」、「１９２．１２８．１２８．２５０」等のＩＰアドレスである。所在情報一覧記憶部３５０および識別情報記憶部３６０は、あらかじめ第２ＤＮＳサーバに記憶されている。
【００４４】
図２に戻り、第２ＤＮＳサーバ３０２は、第１ＤＮＳサーバ１２２に送信された電子メールサーバ５０２のホスト名が、所在情報一覧記憶部３５０に記憶されていた場合に、第１ＤＮＳサーバ１２２のサーバ識別情報に関連付けられた移動体内サーバ識別情報をサーバ識別情報記憶部３６０より取得して、第１ＤＮＳサーバ１２２に移動体内サーバ識別情報を送信する。
【００４５】
これによりユーザ端末１１０のメールクライアントにおいて、電子メールサーバが擬似的に移動体内サーバ１２４に設定されることとなる。よって、ユーザがメールクライアントのホスト名を変更せずとも、移動体内サーバ１２４により受信された電子メールを取得することができる。
【００４６】
管理サーバ３０４は、ユーザ端末１１０の要求に応じて、電子メールサーバ５０２に蓄積された電子メールを取得して、移動体内サーバ１２４に送信する。また、管理サーバ３０４は、第１ＤＮＳサーバ１２２により送信されるユーザ端末１１０を識別するユーザ端末識別情報をキーとして、電子メールサーバ等の関連情報を記憶する電子メールサーバ関連情報テーブル３７０を有している。
【００４７】
図５に、電子メールサーバ関連情報テーブル３７０の一例を図示した。図５に示したように、電子メールサーバ関連情報テーブル３７０は、ユーザ端末識別情報３７２をキーとして、電子メールサーバ所在情報３７４および所在名３７６が記憶されている。ユーザ端末識別情報３７２および電子メールサーバ所在情報３７４は、第１ＤＮＳサーバ１２２より送信される。一方、所在名３７６は、電子メールサーバ所在情報３７４とともに第２ＤＮＳサーバより送信される。管理サーバ３０４はこれらの情報をユーザ端末識別情報３７２をキーとして電子メールサーバ関連情報テーブル３７０に記憶する。
【００４８】
図２に戻り、管理サーバ３０４は、所在名３７６を用いて所在名を有する企業等とＶＰＮ接続して、企業内のＤＮＳサーバに当該企業内の電子メールサーバのホスト名に対応する識別情報（ＩＰアドレス）を要求する。電子メールサーバ５０２のホスト名を取得した管理サーバ３０４は、電子メールサーバ５０２に対して、ユーザ端末１１０により送信されたユーザ識別情報３８８およびユーザパスワード３９０を送信して、電子メールの受信要求をする。
【００４９】
ユーザ端末１１０により送信されたユーザ識別情報３８８およびユーザパスワード３９０は、移動体内サーバ１２４より電子メールの受信を要求される際に、ユーザ端末識別情報３８２とともに管理サーバ３０４に送信される。管理サーバ３０４は、ユーザ端末識別情報３８２にキーとして、上記した電子メールサーバ関連情報テーブル３７０の該当箇所に追加する。
【００５０】
図６に、ユーザ識別情報３８８およびユーザパスワード３９０が追加された電子メールサーバ関連情報テーブル３７０を図示した。ユーザ識別情報３８８は、電子メールサーバ５０２に蓄積された電子メールを取得するための「ＰＯＰ（Ｐｏｓｔ  Ｏｆｆｉｃｅ  Ｐｒｏｔｏｃｏｌ）ＩＤ」であってもよく、ユーザパスワード３９０は「ＰＯＰパスワード」であってもよい。
【００５１】
図２に戻り、電子メールサーバ５０２は、公衆回線網４００に接続され、ユーザ端末１１０のメール受信要求に応じて蓄積された電子メールを管理サーバ３０４に送信する。また、ＤＮＳサーバ５０４は、公衆回線網４００に接続され、管理サーバ３０４のＤＮＳ要求に応じて電子メールサーバ５０２のＩＰアドレスを送信する。電子メールサーバ５０２およびＤＮＳサーバ５０４は、企業等のネットワークに接続され、管理サーバ３０４とはＶＰＮ接続することにより通信可能となる。
【００５２】
以上、本実施形態にかかる情報通信システム１０の詳細について説明した。以上、情報通信システム１０によれば、ユーザ端末１１０のメールクライアントの設定変更をせずとも、電子メールサーバが移動体内サーバ１２４に設定されるため、管理サーバ３０４により移動体内サーバ１２４に転送された電子メールをユーザ端末１１０に送信することが可能となる。
【００５３】
次に、図７を参照して、本実施形態にかかる情報通信システム１０における電子メールサーバの名前解決処理について説明する。図７は、ユーザ端末１１０からＤＮＳ要求がされて、ユーザ端末１１０にＤＮＳ応答がなされるまでの処理の流れを示すタイミングチャートである。
【００５４】
まず、ユーザ端末１１０は、第１ＤＮＳサーバ１２２に対して、電子メールサーバホスト名を送信することにより、ＤＮＳ要求をする（Ｓ１０２）。ユーザ端末１１０よりＤＮＳ要求がなされた第１ＤＮＳサーバ１２２は、ユーザ端末１１０から送信された電子メールサーバホスト名と、ユーザ端末１１０のユーザ端末識別情報を取得する（Ｓ１０４）。ユーザ端末識別情報は、ユーザ端末１１０から送信されたＩＰパケットヘッダ部の発信元ＩＰアドレスを参照して取得することができる。
【００５５】
ステップＳ１０４において取得された電子メールサーバホスト名が第２ＤＮＳサーバ３０２に送信されることにより、識別情報取得要求（ＤＮＳ要求）がなされる（Ｓ１０６）。ステップＳ１０４において取得されたユーザ端末識別情報と電子メールサーバホスト名（ユーザ情報）が管理サーバ３０４に通知される（Ｓ１０８）。ステップＳ１０８においてユーザ情報が通知された管理サーバ３０４は、ユーザ端末識別情報と電子メールサーバ所在情報を電子メールサーバ関連情報テーブル３７０に記憶する（Ｓ１１２）。
【００５６】
ステップＳ１０６においてＤＮＳ要求がなされた第２ＤＮＳサーバ３０２は、識別情報取得要求パケットに含まれる第１ＤＮＳサーバ１２２の識別情報を取得する（Ｓ１１０）。第２ＤＮＳサーバ３０２は、ステップＳ１１０において取得された第１ＤＮＳサーバ１２２の識別情報に基づいて、移動体内サーバ識別情報が取得される（Ｓ１１４）。第２ＤＮＳサーバ３０２は、ステップＳ１１４において取得された移動体内サーバ識別情報を第１ＤＮＳサーバ１２２に送信する（ＤＮＳ応答）。
【００５７】
第２ＤＮＳサーバ３０２が第１ＤＮＳサーバ１２２にＤＮＳ要求されてＤＮＳ応答するまでの処理の流れを、図９を参照して詳細に説明する。第２ＤＮＳサーバＳ３０２は、電子メール所在情報である電子メールホスト名を受信する（Ｓ３０２）。ステップＳ３０２において受信した電子メール所在情報が、上記した電子メールサーバ所在情報一覧記憶部３５０に記憶されているか否かを判定する（Ｓ３０４）。
【００５８】
ステップＳ３０４において、受信した電子メールサーバ所在情報が電子メールサーバ所在情報一覧記憶部３５０に記憶されていると判定されると、第１ＤＮＳサーバ識別情報を取得する（Ｓ３０６）。第１ＤＮＳサーバ識別情報は、第１ＤＮＳサーバ１２２から送信されたＩＰパケットヘッダ部の「発信元ＩＰアドレス」を参照することにより取得される。
【００５９】
ステップＳ３０６において第１ＤＮＳサーバ識別情報を取得した第２ＤＮＳサーバ３０２は、サーバ識別情報記憶部３６０を参照する（Ｓ３０８）。ステップＳ３０６において取得された第１ＤＮＳサーバ識別情報に関連付けられた移動体内サーバ識別情報を取得する（Ｓ３１０）。ステップＳ３１０において取得した移動体内サーバ識別情報を第１ＤＮＳサーバ１２２に送信する（Ｓ３１２）。以上、第２ＤＮＳサーバ３０２が第１ＤＮＳサーバ１２２にＤＮＳ要求されてＤＮＳ応答するまでの処理の流れを説明した。
【００６０】
図７に戻り、ステップＳ１１６において第２ＤＮＳサーバ３０２より送信された移動体内サーバ識別情報を送信された第１ＤＮＳサーバ１２２は、ユーザ端末１１０に移動体内サーバ識別情報を送信する（ＤＮＳ応答）（Ｓ１１８）。これにより、ユーザ端末１１０の電子メールサーバとして、移動体内サーバ１２４が設定されることとなる。
【００６１】
第２ＤＮＳサーバ３０２は、所在情報一覧記憶部３５０を参照して（Ｓ１２０）所在名を特定し、管理サーバ３０４に対して、所在名と電子メールサーバホスト名を送信することにより、所在名に該当するネットワークにＶＰＮ接続を開始するよう通知する（Ｓ１２２）。ステップＳ１２２においてＶＰＮ接続開始の通知を受けた管理サーバ３０４は、ステップＳ１１２においてユーザ情報を記憶した電子メールサーバ関連情報テーブル３７０にステップＳ１２２において送信された所在名を記憶する（Ｓ１２４）。ステップＳ１２４において記憶される所在名は、ステップＳ１２２において送信された電子メールサーバホスト名をキーとして、電子メールサーバ関連情報テーブル３７０に記憶される。管理サーバ３０４は、ステップＳ１２２において送信された所在名に該当するネットワークに対してＶＰＮ接続を開始する（Ｓ１２６）。
【００６２】
以上、情報通信システム１０における電子メールサーバの名前解決処理について説明した。次に、図８を参照して、情報通信システム１０において、ユーザ端末１１０の電子メールサーバとして移動体内サーバ１２４が設定（名前解決）された後の電子メール受信処理の流れを説明する。図８は、情報通信システム１０における電子メール受信処理の流れを示すタイミングチャートである。
【００６３】
まず、ユーザ端末１１０が移動体内サーバ１２４に電子メールを受信するためのユーザ識別情報とユーザパスワードを送信することにより、電子メール受信要求をする（Ｓ２０２）。ユーザ識別情報とユーザパスワードは、電子メールを取得するためのユーザ情報であり、「ＰＯＰ  ＩＤ」、「ＰＯＰパスワード」である。ステップＳ２０２において電子メール受信要求をされた移動体内サーバ１２４は、ユーザ端末１１０のユーザ端末識別情報を取得する（Ｓ２０４）。ユーザ端末識別情報は、ユーザ端末１１０から送信されるＩＰパケットヘッダ部の「発信元ＩＰアドレス」を参照して取得される。
【００６４】
移動体内サーバ１２４は、ステップＳ２０４において取得したユーザ端末識別情報、
ユーザ識別情報、ユーザパスワードを管理サーバ３０４に送信することにより、電子メールの代行受信を依頼をする（Ｓ２０６）。管理サーバ３０４は、ステップＳ２０６において受信したユーザ識別情報とユーザパスワードを、ユーザ端末識別情報をキーとして、電子メールサーバ関連情報テーブル３７０に記憶する（Ｓ２０８）。ステップＳ２０６において受信したユーザ端末識別情報をキーとして、電子メールサーバ関連情報テーブル３７０に記憶されている所在名と電子メールサーバ所在名とを特定する（Ｓ２１０）。ステップＳ２１０において特定された所在名から、所在名に対応するＤＮＳサーバ識別情報を特定する（Ｓ２１２）。
【００６５】
ステップＳ２１２において特定されたＤＮＳサーバ５０４に対して、電子メール識別情報を要求する（Ｓ２１４）。ステップＳ２１４において電子メールサーバ識別情報を要求されたＤＮＳサーバ５０４は、管理サーバ３０４に電子メールサーバ識別情報送信する（Ｓ２１６）。ステップＳ２１６において電子メールサーバ識別情報を送信された管理サーバ３０４は、電子メールサーバ識別情報により特定される電子メールサーバ５０２に、ユーザ情報とユーザパスワードを送信することにより、該当ユーザが要求する電子メールの受信を要求する（Ｓ２１８）。ステップＳ２１８において電子メールの受信を要求された電子メールサーバ５０２は、管理サーバ３０４に電子メールを送信する（Ｓ２２０）。
【００６６】
ステップＳ２２０において受信された電子メールは、スプールサーバ２０２にて一時的にスプールされた後、移動体内サーバ１２４に転送される（Ｓ２２２）。ステップＳ２２２において移動体内サーバ１２４に転送された電子メールは、ユーザ端末１１０に送信される（Ｓ２２４）。以上、情報通信システム１０における電子メール受信処理の流れを説明した。
【００６７】
本実施形態にかかる情報通信システム１０によれば、ユーザ端末１１０から電子メール受信要求がなされ、ユーザ端末１１０が指定した電子メールサーバのＤＮＳ要求に対して、第１ＤＮＳサーバ１２２および第２ＤＮＳサーバ３０２により、電子メールサーバ５０２の識別情報に代えて、移動体内サーバ１２４のサーバ識別情報が指定される。これにより、ユーザ端末１１０のメールクライアントの設定変更をせずとも、移動体内サーバ１２４がユーザ端末１１０の電子メールサーバに設定されるため、管理サーバ３０４により移動体内サーバ１２４に転送された電子メールをユーザ端末１１０に送信することが可能となる。
【００６８】
また、電子メールサーバ５０２がユーザ端末１１０を利用するユーザが所属する企業等の企業内ネットワークに接続されている場合には、電子メールサーバ５０２の識別情報であるＩＰアドレスはプライベートアドレスであることが通常である。その場合、移動体ネットワーク１２０に接続されたサーバによっては電子メールサーバ５０２のＩＰアドレスを認識できない。しかし、本実施形態にかかる情報通信システム１０によれば、ユーザ端末１１０の電子メールサーバとして移動体内サーバ１２４を設定することにより、電子メールサーバ５０２のプライベートアドレスを認識できなくとも、電子メールサーバ５０２に蓄積された電子メールを受信することができる。
【００６９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７０】
例えば、上記実施形態では、電子メールサーバ５０２からユーザ端末１１０への電子メールの受信としたが、ユーザ端末１１０から電子メールサーバ５０２への電子メールの送信としてもよい。
【００７１】
また、電子メールサーバ５０２は、ユーザ端末１１０を利用するユーザの所属する企業内ネットワークに接続されているとしたが、本発明はかかる例に限定されない。例えば、電子メールサーバ５０２は、インターネット上のメールサーバであるＩＳＰ（Ｉｎｔｅｒｎｅｔ  ＳｅｒＶｉｃｅ  Ｐｒｏｖｉｅｒ）メールサーバとしてもよい。
【００７２】
また、移動体ネットワーク１２０に接続される第１ＤＮＳサーバ１２２と移動体内サーバ１２４とは別個のサーバとしたが、同一のサーバに第１ＤＮＳサーバ１２２と移動体内サーバ１２４の機能を有するようにしてもよい。さらに、第２ＤＮＳサーバ３０２と管理サーバ３０４とは別個のサーバとしたが、同一のサーバに第２ＤＮＳサーバ３０２と管理サーバ３０４の機能を有するようにしてもよい。
【図面の簡単な説明】
【００７３】
【図１】本実施形態にかかる情報通信システムの概要を示した説明図である。
【図２】同実施の形態にかかる情報通信システム構成図である。
【図３】同実施の形態にかかる所在情報一覧記憶部の記憶内容を示す説明図である。
【図４】同実施の形態にかかるサーバ識別情報記憶部の記憶内容を示す説明図である。
【図５】同実施の形態にかかる電子メールサーバ関連情報テーブルの一例を示す説明図である。
【図６】同実施の形態にかかる電子メールサーバ関連情報テーブルの一例を示す説明図である。
【図７】同実施の形態にかかる名前解決処理の流れを示すフローチャートである。
【図８】同実施の形態にかかる電子メール受信処理の流れを示すフローチャートである。
【図９】同実施の形態にかかる第２ＤＮＳサーバの処理の流れを示すフローチャートである。
【符号の説明】
【００７４】
１１０    ユーザ端末
１２０    移動体ネットワーク
１２２    第１ＤＮＳサーバ
１２４    移動体内サーバ
３００    固定通信網
３０２    第２ＤＮＳサーバ
３０４    管理サーバ
５０２    電子メールサーバ
【図１】
2009088810.tif 000003
【図２】
2009088810.tif 000004
【図３】
2009088810.tif 000005
【図４】
2009088810.tif 000006
【図５】
2009088810.tif 000007
【図６】
2009088810.tif 000008
【図７】
2009088810.tif 000009
【図８】
2009088810.tif 000010
【図９】
2009088810.tif 000011